(57)【要約】      （修正有）【課題】神棚として使用した場合と仏壇として使用した場合で、そのそれぞれの外観から受ける印象を異なるものとすることができ、かつ、神鏡、灯明、榊、水入、小物入れ等の祭壇用具の組み合わせができるメモリアル祭壇を提供する。【解決手段】少なくとも、凹部を両面に具える台座３と前記両凹部へ収容可能な敷台とを備え、神鏡、灯明、榊、水入、小物入れ等の祭壇用具の組み合わせの自由度を高めることができる。【選択図】図１６
0003224698.tif 000002
【実用新案登録請求の範囲】
【請求項１】
少なくとも、凹部を両面に具える台座と前記両凹部へ収容可能な敷板とを備えることを特徴とするメモリアル祭壇。
【請求項２】
前記敷板の厚さｃと前記台座の両凹面の深さａ及びｂの関係が以下の２つの不等式を満たすことを特徴とする請求項１に記載のメモリアル祭壇。
（i）ｃ＜ａ
（ii）ｃ＞ｂ
【請求項３】
前記台座の形状が円形又は多角形であることを特徴とする請求項１又は請求項２に記載のメモリアル祭壇。
【請求項４】
前記敷板はしけ絹で覆われていることを特徴とする請求項１から請求項３のいずれか１に記載のメモリアル祭壇。
【請求項５】
卓上スタンド、神鏡台座又は数珠掛けのいずれか１以上をさらに備えることを特徴とする請求項１から請求項４のいずれか１に記載のメモリアル祭壇。
【考案の詳細な説明】
【技術分野】
【０００１】
本考案は、神棚と仏壇のいずれにも使用することができるメモリアル祭壇に関する。
【背景技術】
【０００２】
従来、一般的な日本家屋には床の間や仏間があり、仏壇を仏間に設置することが可能であった。また、各人が信仰する神様を祭る神棚を設置することも可能であった。しかしながら、近年、都市などのマンション等では、リビングや寝室等の居住空間の他に仏間を設けることは、経済上やスペース上の問題から難しくなっている等の問題がある。また、賃貸住宅などに居住する者の場合、神棚を取り付けるための釘や木ねじ等を柱や梁・桟などに打ち付けることができず、設置を断念せざるを得ない場合がある等の問題がある。
【０００３】
また、家族同然の愛情を持ってペットを飼う家庭が増加し、ペットの死後にペットの遺骨や遺品などを祭る家庭が増加し、家庭内に祭壇を設置したいという要望が増えてきている。
【０００４】
そこで、近年の住宅事情に鑑み、神棚と仏壇とは、通常、別々に設けられるものであるが、特許文献１には、持ち運び可能で周囲の雰囲気を壊すことなく神様を拝んだり、亡くなった人間やペットを供養できる神棚と仏壇を兼用した神棚兼仏壇が記載されている。
【先行技術文献】
【特許文献】
【０００５】
【特許文献１】特開２００２−３０６３１９号
【考案の概要】
【考案が解決しようとする課題】
【０００６】
しかし、特許文献１に記載の神棚兼仏壇は、ヒンジ部を中芯とした薄形本体ケースと薄型蓋部との解放角度位置が１００°と固定されているため、これとは異なる解放角度とすることができない。また、前記薄型本体ケースに神鏡、灯明、榊、水入、小物入れ等の宗教用具（祭壇用具）を載置するための台座部が予め設けられているため、これらの宗教用具の配置位置を自由に選択することができない。したがって、神棚として使用した場合と仏壇として使用した場合とで、その外観から受ける印象が代わり映えのしないものとなっている。
【０００７】
また、昨今の住環境の高気密化によって、湿度が高い状態となることから、木材の反りや収縮が発生してしまうおそれがあるため、これを防ぐために湿気対策を施す必要がある。
【０００８】
本考案は、上記事情に鑑みなされたもので、神棚として使用した場合と仏壇として使用した場合とで、そのそれぞれの外観から受ける印象を異なるものとすることができ、かつ、神鏡、灯明、榊、水入、小物入れ等の祭壇用具の組み合わせの自由度を高めることができるメモリアル祭壇を提供することを目的とする。
また、本考案のさらなる目的として、湿気対策がなされたメモリアル祭壇を提供することを目的とする。
【課題を解決するための手段】
【０００９】
本考案者は、上記目的を達成するために鋭意検討を行った結果、祭壇用具を載置する部材とその敷板を支える部材とを分離した構造とすることで前記課題を解決できることを見出し、本考案を完成するに至った。
【００１０】
すなわち、本考案のメモリアル祭壇は、少なくとも、凹部を両面に具える台座と前記両凹部へ収容可能な敷台とを備えることを特徴とする。
【考案の効果】
【００１１】
本考案のメモリアル祭壇は、神棚として使用した場合と仏壇として使用した場合の外観から受ける印象を異なるものとすることができ、かつ、神鏡、灯明、榊、水入、小物入れ等の祭壇用具の組み合わせの自由度を高めることができるメモリアル祭壇が提供される。
また、湿気対策がなされたメモリアル祭壇が提供される。
【図面の簡単な説明】
【００１２】
【図１】図１は、敷板２の製造工程を示した図である。
【図２】図２は、敷板２の断面図である。
【図３】図３は、台座３の斜視図である。
【図４】図４は、台座３の断面図である。
【図５】図５は、台座３の深さと敷板２の厚さの関係を表した図である。
【図６】図６は、台座３へ敷板２を収容した状態を示す一例の図である。
【図７】図７は、台座３へ敷板２を収容した状態を示す一例の図である。
【図８】図８は、卓上スタンド１１の斜視図である。
【図９】図９は、卓上スタンド１１の部分拡大図である。
【図１０】図１０は、卓上スタンドの一実施形態の斜視図である。
【図１１】図１１は、卓上スタンドを組み合わせて使用した状態を示す一例の図である。
【図１２】図１２は、神鏡台座２２の斜視図である。
【図１３】図１３は、神鏡台座２２の６面図である。
【図１４】図１４は、数珠掛け２６の斜視図である。
【図１５】図１５は、数珠掛け２６の６面図である。
【図１６】図１６は、本考案に係るメモリアル祭壇を神棚として使用した状態を示す図である。
【図１７】図１７は、本考案に係るメモリアル祭壇を仏壇（メモリアル）として使用した状態を示す図である。
【考案を実施するための形態】
【００１３】
本考案の実施の形態に係るメモリアル祭壇を、図面に基づいて説明する。
本実施の形態に係るメモリアル祭壇１は、少なくとも、敷板２と台座３とからなる聖壇１とからなるものである。また、他の実施の形態としては、聖壇１に、卓上スタンド１１、神鏡台座２２、数珠飾り２６、写真立て３５、神鏡３０、灯明、榊、水入、小物入れ等の各種祭壇用具を自由に載置してなるメモリアル祭壇がある。
【００１４】
敷板２は、例えば、以下のような方法により製造される。
図１、図２の敷板２の断面図を参照しながら説明する。なお、図１のＡ〜Ｆは、敷板２の製造工程における各平面図であり、Ｇは背面図である。まず、檜の木枠からなる骨下地を製作する（Ａ）。ここで、木枠の巾は、約３００ｍｍ、厚みは約６ｍｍである。なお、骨下地は公知の和額の製法等により製造することができる。次に、骨下地の両面に楮紙を糊貼り、骨組みのねじれを抑えるために骨縛りを行う（Ｂ）。次に、木枠より少し大きめにカットした厚紙の両面に糊貼りし骨下地の両面にベタ貼りし、木枠からはみ出した厚紙の部分をカットする（Ｃ）。厚紙をベタ貼りすることによって、透けを抑え、綿打ちをスムーズに行うことができる。次に、仕上がりの角を出すために、木枠の表面側の周囲に薄く綿を敷く（Ｄ）。ここで、外巾は約１０ｍｍ、綿の厚さは１ｍｍ以下にするとよい。次に、木枠の表面側の周囲に敷いた綿の内側へ綿打ちを行い、中綿を薄く敷く（Ｅ）。中綿を敷くことで、しけ絹の風合いを出すことができる。次に、骨下地の表面側を骨下地より大きいしけ絹で囲み、ねじれの出ないようにしけ絹を張り、骨下地の裏側に巻き込む（Ｆ）。このようにすることによって、継ぎ目を見せずに美しい仕上がりとすることができる。最後に、裏側にも骨下地の枠より小さいしけ絹を糊貼りする（Ｇ）。
【００１５】
ここで、しけ絹とは、二頭（二匹）の蚕がともにつくったという糸（玉糸）で織り上げた絹のことである。また、二頭の蚕がつくった玉糸は、通常の艶のある生糸とは違う趣があり、ハリと強さに富み、点々とした独特の節を有する絹となる。
【００１６】
台座３の構造を図３、図４（断面図）を参照しながら詳しく説明する。台座３は、高さ方向が等しく、かつ、両端部が４５度に切削された４枚の側板４〜７と底板８とからなる。側板４〜７には、側板の中心線９から外れた位置に係合溝１０が切り込まれている。底板８は、板の厚さ方向の外周面の一部を前記係合溝１０に略等しい厚さを４面に残して切り欠いてなる。ここで、一例として、側板４〜７の材質は欅である。また、側板４、５の高さは約４５ｍｍ、長さは約２４１ｍｍ、厚みは約７ｍｍである。側板６、７の高さは約４５ｍｍ、長さは約５１６ｍｍ、厚みは約７ｍｍである。また、底板８の材質は欅であり、その厚みは約１２ｍｍ程度である。また、係合溝１０は、約２ｍｍである。これらの側板４〜７と底板８を嵌め込み、組み上げる際に、台座３を補強するために楔１１を埋め込んでいる。このような構造とすることによって、両面に凹面を備える台座３が形成される。両面が凹面である結果として、敷板２を台座３の両凹面に収容することができる。また、釘等を使用することなく台座３を製造することができる。なお、底板は前記係合溝を切り嵌め込んであるが、板の反りやねじれを考慮して、完全には固定していない。完全に固定してしまうと、高温多湿等の外部環境下による板の伸縮に対応できなくなるからである。
【００１７】
なお、底板８は連続する面を有する一様な板であることを必ずしも必要としない。敷板２を台座の両面に収容することができれば、底板の形状は、どのような形状でも構わない。
【００１８】
次いで、図５を用いて、敷板２の厚さと台座３の両凹面の深さの関係について説明する。
ここで、台座３の一方の凹面の深さをａ、他方の凹面の深さをｂとし、敷板２の厚さをｃとすると、ｃは、ａ、ｂとの関係式（不等式）（i）、（ii）を共に満たす。
（i）ｃ＜ａ
（ii）ｃ＞ｂ
【００１９】
このような構成とすることによって、深さａを有する凹面に対して敷板２を収容した場合には、台座３に対して敷板３が収納されているため、図６のように、静謐な箱庭のような空間として使用することができる。一方、深さｂを有する凹面に対して敷板２を収容した場合には、図７のように、台座３に対して敷板３が一段高い台のようになるため、床框が設置された床の間のような外観となる。
【００２０】
また、使用者の好みにより、一方の凹面に敷板をはめ込んだ状態の聖壇を神棚として、また、他方の凹面に敷板をはめ込んだ状態の聖壇を仏壇として使用する等、選択の幅を広げることができることから、外観から受ける印象を異なるものとすることができる。
【００２１】
なお、上述のように、台座の形状を長方形状のものとして説明した。しかしながら、台座の形状はこれに限定されず、円形又は三角形、正方形、台形等の多角形の形状でも良い。すなわち、本考案に係る台座は、両面に凹面を具える台座であって、敷板の厚さと台座の両凹面の深さが前述の関係式を満たしていれば、本考案の範囲に含まれる。
【００２２】
卓上スタンド１１の構造を図８、図９を参照しながら詳しく説明する。
卓上スタンド１１は、写真立て、お札立て等として用いるものである。卓上スタンド１１は、図８に示すように、載置面として用いる板材１２（以下、板材１２という。）と、支える面として用いる板材１３（以下、板材１３という。）と嵌合木材１４と係合部材１８とからなる。板材１２には、嵌合木材１４を介して板材１３を固定するための溝１５と、係合部材１８を固定するための溝１７が切り込まれている。一方、板材１３には、嵌合木材１４を介して板材１２を固定するための溝１６が切り込まれている。ここで、一例として、板材１２と１３、及び嵌合部材１４の材質は欅である。また、板材１２の高さは約５５ｍｍ、長さは約３５０ｍｍ、厚みは約１０ｍｍである。一方、板材１３の高さは約７５ｍｍ、長さは約３５０ｍｍ、厚みは約１０ｍｍである。嵌合木材１４は、３ｍｍ×１０ｍｍ×３５０ｍｍの部材である。卓上スタンド１１は、図９に示すように、板材１２と板材１３とを嵌合木材１４を用いて固定し、係合部材１８を溝１７に固定して形成される。
【００２３】
ここで、前記溝１５と前記溝１７との距離は、卓上スタンドに立てかけるものの種類によって、適宜調節するとよい。例えば、写真立てを立てかける場合には、溝１５と溝１７との距離を広くする、一例として、３２ｍｍ等のごとくである。また、お札を立てかける場合には、お札をなるべく垂直に立てかけることができるよう、溝１５と溝１７との距離を狭くする等、一例として、１５ｍｍのごとくである。
【００２４】
また、図１０のように、板材１３の高さ方向両側面に、マグネット１９を取り付けることにより、卓上スタンド同士を接合して用いることができる。このような構造とすることによって、例えば、図１１のように、卓上スタンド２０と卓上スタンド２０とは前記溝１５と前記溝１７との距離が異なる卓上スタンド２１を組み合わせて使用することができる。
【００２５】
神鏡台座２２について図１２、図１３を参照しながら詳しく説明する。
神鏡台座２２は、一対の略雲形状の部材２３と２４と板部材２５とからなる。一対の略雲形状の部材２３と２４には、一枚の神鏡を係合させるための溝２６と溝２７が切り込まれている。ここで、一例として、一対の略雲形状の部材２３、２４は、欅であり、厚さ約７ｍｍ、高さ約３８ｍｍ、長さ約１１５ｍｍである。板部材２５は、欅であり、約３０ｍｍ×約９０ｍｍ×約１５ｍｍの直方体形状である。
神鏡台座２２は、これらの一対の略雲形状の部材２３と部材２４を板部材２５にそれぞれ楔（図示せず）を介して固定してなる。なお、図１３は、神鏡台座２２の６面図（(a)正面図、(b)右側面図（左側面図は同一であるため省略した）(c)平面図、(d)底面図）である。
【００２６】
数珠掛け２６について図１４、図１５を参照しながら詳しく説明する。
数珠掛け２６は、２つのハート形状の板材２７と２８とを組み合わせてなるものである。なお、ブレスレッド掛け等としても使用することができる。なお、図１５は、数珠掛け２６の６面図（(a)平面図、(b)正面図（右側面図、左側面図、背面図は同一であるため省略した）(c)底面図）である。
【００２７】
以上のように構成された本考案の実施の形態に係るメモリアル祭壇の仏具、又は神具（以下、仏神具を略す。）の配置状態について、図面に基づいて説明する。
【００２８】
メモリアル祭壇を神棚として使用するときの一実施の形態を、図１６を用いて説明する。図１６に示すように、メモリアル祭壇は、敷板２と台座３とを図７のように配置された敷板２の上に、神鏡３０を設置した神鏡台座２２、お札２９を設置した卓上スタンド１１、欅榊立３１、つまみ細工の榊３２、榊立て３１、白色茶碗３３及びしけ絹コースター３４等が配置された状態である。このように神棚として使用することで、末広がりの透き通るような白の器が、柔らかな表情の純白のしけ絹に映え、シンプルで美しいご神鏡に、和の伝統で作られたつまみ細工の榊が配置され、凛とした中に優しいハーモニーを奏でることができる。
【００２９】
メモリアル祭壇を仏壇（メモリアル）として使用するときの一実施の形態を、図１７を用いて説明する。図１７に示すように、メモリアル祭壇は、敷板２と台座３とを図６のように配置された敷板２の上に、写真立て３５を設置した卓上スタンド１１、数珠３７を掛けた数珠掛け２６、ガラス台３６、フラワー台３８等が配置された状態である。このように仏壇として使用することで、雑然とした周囲の状況下であっても、台座３の中に箱庭のような空間ができるので、日常空間と区切られた空間が醸し出す聖なる領域を任意の場所に確保することができる。
【００３０】
以上より、本考案の実施の形態に係るメモリアル祭壇は、使用者の自由な発想により、敷板２の上に神具等を配置することができるので、常に新しい外観の神棚若しくは仏壇を拝むことができる。また、メモリアル祭壇は、周囲の雰囲気に溶け込むデザインであるから、インテリア、工芸品、装飾品としても極めて高い価値を奏する。
【００３１】
（反り計測）
本考案に係る台座（欅製：５１６×２４１×４５ｍｍ）、卓上スタンド（３５０×５５×７５ｍｍ、）、聖壇（台座に敷台を収容したもの）及び敷台（４９７×２２４×１０ｍｍ）が反りや伸縮のないことを温度３０度、湿度３０％の条件下において、恒温恒湿器（メーカー：エスペック株式会社  型番：ARS-1100-J）を使用して２４時間経過前後のフラット状態からの両端の高さを測定することにより確認した。台座、卓上スタンドについての測定結果を表１に示し、敷台、聖壇についての測定結果を表２、３に示す。
【００３２】
【表１】
0003224698.tif 000003
【００３３】
【表２】
0003224698.tif 000004
【００３４】
【表３】
0003224698.tif 000005
【００３５】
台座、卓上スタンドについては、表１の結果から反りや収縮は確認されず、変化がないことが確認された。また、敷台については、表２の結果から両端に僅かな変化が確認されるものの、目視で確認できる変化ではなかった。一方、聖壇については、表３の結果から反りや収縮は確認されず変化がないことが確認された。
【図１】
0003224698.tif 000006
【図２】
0003224698.tif 000007
【図３】
0003224698.tif 000008
【図４】
0003224698.tif 000009
【図５】
0003224698.tif 000010
【図６】
0003224698.tif 000011
【図７】
0003224698.tif 000012
【図８】
0003224698.tif 000013
【図９】
0003224698.tif 000014
【図１０】
0003224698.tif 000015
【図１１】
0003224698.tif 000016
【図１２】
0003224698.tif 000017
【図１３】
0003224698.tif 000018
【図１４】
0003224698.tif 000019
【図１５】
0003224698.tif 000020
【図１６】
0003224698.tif 000021
【図１７】
0003224698.tif 000022